(57)【要約】【課題】  特定の便器洗浄装置が故障したとしても、残りの便器洗浄装置で排水能力管理が実行可能なトイレシステムを提供する。  【解決手段】  複数の便器洗浄装置からなるトイレシステムにおいて、各々の便器洗浄装置は、他の便器洗浄装置に向けて便器洗浄の実行状態を送信する無線通信手段と、他の便器洗浄装置から送信されてくる便器洗浄の実行状態を受信して記憶する洗浄実行状態記憶手段と、設置される現場の排水能力を記憶する排水能力記憶手段と、を備えており、前記洗浄実行状態記憶手段に記憶されている他の便器洗浄装置の洗浄実行状態に基づく洗浄水量の合計に、これから行う洗浄動作で使用する洗浄水量を加算した総洗浄水量を算出し、この総洗浄水量と前記排水能力記憶手段に記憶されている排水能力とを比較して洗浄開始タイミングを判断することを特徴とする。【選択図】  図２
2014029090.tif 000002
【特許請求の範囲】
【請求項１】
複数の便器洗浄装置からなるトイレシステムにおいて、
各々の便器洗浄装置は、便器の洗浄要求に対する便器洗浄の開始タイミングを判定する洗浄開始判定手段と、他の便器洗浄装置に向けて便器洗浄の実行状態を送信する無線通信手段と、他の便器洗浄装置から送信されてくる便器洗浄の実行状態を受信して記憶する洗浄実行状態記憶手段と、設置される現場の排水能力を記憶する排水能力記憶手段と、を備えており、
前記洗浄開始判定手段は、前記洗浄実行状態記憶手段に記憶されている他の便器洗浄装置の洗浄実行状態に基づく洗浄水量の合計に、これから行う洗浄動作で使用する洗浄水量を加算した総洗浄水量を算出し、この総洗浄水量と前記排水能力記憶手段に記憶されている排水能力とを比較して洗浄開始タイミングを判断することを特徴とするトイレシステム。
【請求項２】
前記便器洗浄装置は洗浄水量の異なる複数の洗浄モードを備えており、他の便器洗浄装置に向けて送信する便器洗浄の実行状態には洗浄モード種別が含まれており、前記洗浄開始判定手段はその洗浄モード種別に基づいて総洗浄水量を算出することを特徴とする請求項１記載のトイレシステム。
【請求項３】
前記洗浄開始判定手段は、前記総洗浄水量が前記排水能力記憶手段に記憶されている排水能力を超えていると判断した場合は洗浄開始を保留しておき、他の便器洗浄装置の便器洗浄が終了すると総洗浄水量を再度算出し、この総洗浄水量が前記排水能力記憶手段に記憶されている排水能力を超えていない場合は洗浄動作を実行することを特徴とする請求項１記載のトイレシステム。
【請求項４】
前記便器洗浄装置に対する洗浄指示として、使用者の検知状態に応じた自動洗浄と使用者の洗浄指示に応じた意思洗浄を備えており、他の便器洗浄装置に向けて送信する便器洗浄の実行状態には洗浄指示種別が含まれており、前記洗浄開始判定手段は洗浄開始を保留している洗浄実行状態が複数ある場合、洗浄指示種別が意志洗浄である処理を自動洗浄より優先して洗浄開始させることを特徴とする請求項３記載のトイレシステム。
【発明の詳細な説明】
【技術分野】
【０００１】
本発明は、複数の便器洗浄装置からなるトイレシステムに係り、特に排水管の排水能力を超えないように便器洗浄動作を実行することに関する発明である。 
【背景技術】
【０００２】
従来、便器洗浄装置を複数台設置される場合の排水管理において、設置台数全てを同時に排水できるだけの排水能力のある排水管のサイズを選定することが好ましいが、コストやスペースのなどの理由により排水管のサイズを小さくしてしまい、そのため排水能力を超える排水となり、水があふれるという問題があり、特許文献1のように便器洗浄装置を複数台設置する際にマスタ（親）となる便器を１つ設置して、それ以外はスレーブ（子）となる便器を設置することで、洗浄の許可、禁止をマスタがコントロールすることで排水能力を超えた排水が行われないようにする制御方法が開示されている。
【先行技術文献】
【特許文献】
【０００３】
【特許文献１】特許第4802573号公報
【発明の概要】
【発明が解決しようとする課題】
【０００４】
特許文献1記載のトイレシステムでは、マスタ（親）となる便器洗浄装置を必ず設置しなければならず、設置の管理が面倒であり、また、そのマスタ（親）となる便器洗浄装置が故障すると排水能力の管理ができないという問題があった。   
【０００５】
そこで本発明は、上記問題を解決するためになされたもので、本発明の目的は、特定の便器洗浄装置が故障したとしても、残りの便器洗浄装置で排水能力管理が実行可能なトイレシステムを提供することである。
【課題を解決するための手段】
【０００６】
上記目的を達成するために請求項１記載の発明によれば、複数の便器洗浄装置からなるトイレシステムにおいて、各々の便器洗浄装置は、便器の洗浄要求に対する便器洗浄の開始タイミングを判定する洗浄開始判定手段と、他の便器洗浄装置に向けて便器洗浄の実行状態を送信する無線通信手段と、他の便器洗浄装置から送信されてくる便器洗浄の実行状態を受信して記憶する洗浄実行状態記憶手段と、設置される現場の排水能力を記憶する排水能力記憶手段と、を備えており、前記洗浄開始判定手段は、前記洗浄実行状態記憶手段に記憶されている他の便器洗浄装置の洗浄実行状態に基づく洗浄水量の合計に、これから行う洗浄動作で使用する洗浄水量を加算した総洗浄水量を算出し、この総洗浄水量と前記排水能力記憶手段に記憶されている排水能力とを比較して洗浄開始タイミングを判断する。
よって、個々の便器洗浄装置にて排水配管の排水能力オーバーとならないように洗浄開始タイミングを制御できるため、特定の便器洗浄装置が故障したとしても、残りの便器洗浄装置は正常に排水能力オーバーとならずに使用可能である。
【０００７】
また、請求項２記載の発明によれば、前記便器洗浄装置は洗浄水量の異なる複数の洗浄モードを備えており、他の便器洗浄装置に向けて送信する便器洗浄の実行状態には洗浄モード種別が含まれており、前記洗浄開始判定手段はその洗浄モード種別に基づいて総洗浄水量を算出することを特徴とする。
よって、洗浄モード種別を考慮して総洗浄水量を算出するため、総洗浄水量の算出が正確となり、同時に洗浄可能な台数を増やすことができ、洗浄待ちとなる頻度を下げることが可能となる。
【０００８】
また、請求項３記載の発明によれば、前記洗浄開始判定手段は、前記総洗浄水量が前記排水能力記憶手段に記憶されている排水能力を超えていると判断した場合は洗浄開始を保留しておき、他の便器洗浄装置の便器洗浄が終了すると総洗浄水量を再度算出し、この総洗浄水量が前記排水能力記憶手段に記憶されている排水能力を超えていないえない場合は洗浄動作を実行することを特徴とする。
よって、洗浄要求を保留して排水能力に収まると自動で洗浄開始することで、流し忘れを防止できる。
【０００９】
また、請求項４記載の発明によれば、前記便器洗浄装置に対する洗浄指示として、使用者の検知状態に応じた自動洗浄と使用者の洗浄指示に応じた意思洗浄を備えており、他の便器洗浄装置に向けて送信する便器洗浄の実行状態には洗浄指示種別が含まれており、前記洗浄開始判定手段は洗浄開始を保留している洗浄実行状態が複数ある場合、洗浄指示種別が意志洗浄である処理を自動洗浄より優先して洗浄開始させることを特徴とする。
よって、意思洗浄を優先して開始することができ、使用者が洗浄できないと不安に感じるリスクをさげることができ、使い勝手が向上する。
【発明の効果】
【００１０】
本発明によれば、特定の便器洗浄装置が故障したとしても、残りの便器洗浄装置は正常に排水能力オーバーとならずに使用可能という効果がある。
【図面の簡単な説明】
【００１１】
【図１】本発明のトイレシステムの全体図である。
【図２】本発明の便器洗浄装置の機能ブロック図である。
【図３】本発明の第一の実施形態の便器洗浄動作のイメージ図である。
【図４】本発明の第一の実施形態の便器洗浄動作の動作フローである。
【図５】本発明の第二の実施形態の便器洗浄動作のイメージ図である。
【図６】本発明の第二の実施形態の便器洗浄動作の動作フローである。
【発明を実施するための形態】
【００１２】
本発明における実施形態について図面に基づいて説明する。
図１は、本発明のトイレシステムの全体図である。この図１に示すように、デパートや駅舎といった公共施設のトイレルームにおいては、複数の便器洗浄装置１０が連接されている。具体的には、トレイルームには複数の腰掛式の大便器である便器２０が仕切壁３０によって仕切られたトイレブースに設置されている。この便器２０へは、水道水などを洗浄水として供給するための給水配管４０が接続されており、この給水配管の途中に洗浄装置本体１１が設置されている。便器２０の使用者は、用便後にリモコン１２を操作することで便器洗浄を行うことができる。
【００１３】
図２は、本発明の便器洗浄装置１０の機能ブロック図である。便器洗浄装置１０は、洗浄装置本体１１とリモコン１２から構成されている。リモコン１２には、押しボタンや反射型赤外線センサなどの洗浄要求の指示手段１２１が設けられており、使用者が用便後にこの洗浄要求の指示手段１２１を操作すると無線通信手段１２２は洗浄装置本体１１に向けて洗浄指示信号を送信する。洗浄指示信号は電波信号であり、操作されたリモコン１２が設置されているトイレブースの洗浄装置本体１１のみならず、同じトイレルームに連接されている他の洗浄装置本体１１での受信可能である。
【００１４】
洗浄装置本体１１では、リモコン１２から送信された洗浄指示信号を無線通信手段１１２に内臓されている受信アンテナ（図示せず）によって受信可能である。なお、洗浄装置本体１１には人体検知手段によって構成された洗浄要求指示手段１１１が設けられており、便器２０の使用していた使用者の便器２０からの離隔を検出すると、無線通信手段１１２へ洗浄指示信号を出力し、無線通信手段１１２は内蔵されている送信アンテナ（図示せず）によって、同じトイレルームに連接されている他の洗浄装置本体１１へ向けて洗浄指示信号を送信する。
【００１５】
無線通信手段１１２は、同じトイレブースに設置されているリモコン１２からの洗浄指示信号のみならず、他のトイレブースに設置されているリモコン１２からの洗浄指示信号も受信可能であると共に、更には、他のトイレブースに設置されている洗浄装置本体１１からの洗浄指示信号も受信可能である。なお、洗浄指示信号に含まれている識別信号によって、同じトイレブースからの洗浄指示信号なのか、他のトイレブースからの洗浄指示信号なのかは識別可能となっている。
【００１６】
そして、無線通信手段１１２で受信した他のトイレブースからの洗浄指示信号は洗浄実行状態記憶手段１１３に記憶される。この記憶は、洗浄が終了すると推定される一定時間が経過すると消去される。なお、一定時間が経過すると消去されることに代えて、洗浄終了を各洗浄装置本体１１の無線通信手段１１２から送信するようにして、その洗浄終了を受信することで記憶を消去するようにしてもよい。
【００１７】
そして、他のトイレブースからの洗浄指示信号ではなく、その洗浄装置本体１１に対する洗浄指示信号が洗浄要求指示手段１１１，１２１から出力されると、洗浄開始判定手段１１５では、前記洗浄実行状態記憶手段１１３に記憶されている他のトイレブースからの洗浄指示信号に基づく洗浄水量の合計に、その洗浄装置本体１１の洗浄動作で使用する洗浄水量を加算した総洗浄水量を算出する。そして、この総洗浄水量と排水能力記憶手段１１４に予め記憶されている、そのトイレルームの排水配管に流すことが可能な排水流量の上限値である排水能力とを比較して、総洗浄水量が排水能力よりも小さい場合には、洗浄可能であると判断して電磁弁１１６を開弁して便器洗浄を実行する。
【００１８】
従って、個々の便器洗浄装置にて排水配管の排水能力オーバーとならないように洗浄開始タイミングを制御できるため、特定の便器洗浄装置が故障したとしても、残りの便器洗浄装置は正常に排水能力オーバーとならずに使用可能である。
【００１９】
この洗浄開始判定手段１１５における第一の実施形態の便器洗浄動作のイメージについて、図３に基づいて説明する。この実施形態においては、洗浄要求の指示手段１１１，１２１からは、１回の洗浄動作において６Ｌの洗浄水を供給する大洗浄と、４Ｌの洗浄水を供給する小洗浄と、３Ｌの洗浄水を供給するＥｃｏ小洗浄の３種類の洗浄モードの指示が可能で、排水能力記憶手段１１４には排水能力：２１Ｌが記憶されている例である。
【００２０】
まず、パターンＡについて説明する。便器洗浄装置１〜４については、それぞれ順番に、大洗浄、小洗浄、大洗浄、Ｅｃｏ小洗浄の洗浄要求の指示が行われた場合であって、便器洗浄装置１の洗浄動作が終了する前に便器洗浄装置４の洗浄要求があった場合である。この場合においては、便器洗浄装置１の洗浄要求の指示があった時点では、総排水量としては大洗浄の６Ｌとなり、この総排水量と排水能力として排水能力記憶手段１１４に記憶されている２１Ｌとを比較して、総排水量が排水能力よりも小さいため、この便器洗浄装置１の洗浄指示は許可される。
【００２１】
同様に、便器洗浄装置２の洗浄要求の指示があった時点では、総排水量としては大洗浄；６Ｌ＋小洗浄：４Ｌの１０Ｌとなり、この総排水量と排水能力として排水能力記憶手段に記憶されている２１Ｌとを比較して、総排水量が排水能力よりも小さいため、この便器洗浄装置２の洗浄指示は許可される。便器洗浄装置３の洗浄要求の指示があった時点では、総排水量としては大洗浄；６Ｌ＋小洗浄：４Ｌ＋大洗浄：６Ｌの１６Ｌとなり、この総排水量と排水能力として排水能力記憶手段に記憶されている２１Ｌとを比較して、総排水量が排水能力よりも小さいため、この便器洗浄装置２の洗浄指示は許可される。便器洗浄装置４の洗浄要求の指示があった時点では、総排水量としては大洗浄；６Ｌ＋小洗浄：４Ｌ＋大洗浄：６Ｌ＋Ｅｃｏ小洗浄：３Ｌの１９Ｌとなり、この総排水量と排水能力として排水能力記憶手段に記憶されている２１Ｌとを比較して、総排水量が排水能力よりも小さいため、この便器洗浄装置２の洗浄指示は許可される。
【００２２】
次に、パターンＢについて説明する。便器洗浄装置１〜５については、それぞれ順番に、大洗浄、小洗浄、大洗浄、Ｅｃｏ小洗浄、大洗浄の洗浄要求の指示が行われた場合であって、便器洗浄装置１の洗浄動作が終了する前に便器洗浄装置５の洗浄要求があった場合である。この場合においては、便器洗浄装置１〜４の洗浄要求の指示があった時点では、前述したパターンＡと同じ動作となり、この便器洗浄装置１〜４の洗浄指示は許可される。
【００２３】
しかし、便器洗浄装置５の洗浄要求の指示があった時点では、総排水量としては大洗浄；６Ｌ＋小洗浄：４Ｌ＋大洗浄：６Ｌ＋Ｅｃｏ小洗浄：３Ｌ＋大洗浄：６Ｌの２５Ｌとなり、この総排水量と排水能力として排水能力記憶手段に記憶されている２１Ｌとを比較して、総排水量が排水能力を上回ってしまうため、この便器洗浄装置５の洗浄指示は許可されない。このように、洗浄指示が許可されない場合の対応としては、表示や音声などで、少し時間を置いての再洗浄指示をガイドすることや、一旦、洗浄指示に基づく動作を保留しておいて、少し時間を置いて自動で再洗浄にトライするようにすることで、洗浄忘れを防止することができる。
【００２４】
次に、パターンＣについて説明する。便器洗浄装置１〜５については、それぞれ順番に、大洗浄、小洗浄、Ｅｃｏ小洗浄、小洗浄、Ｅｃｏ小洗浄の洗浄要求の指示が行われた場合であって、便器洗浄装置１の洗浄動作が終了する前に便器洗浄装置５の洗浄要求があった場合である。この場合においては、便器洗浄装置１〜４の洗浄要求の指示があった時点では、前述したパターンＡやパターンＢと同様に、この便器洗浄装置１〜４の洗浄指示は許可される。
【００２５】
また、便器洗浄装置５の洗浄要求の指示があった時点では、総排水量としては大洗浄；６Ｌ＋小洗浄：４Ｌ＋Ｅｃｏ小洗浄：３Ｌ＋小洗浄：４Ｌ＋Ｅｃｏ小洗浄：３Ｌの２０Ｌとなり、この総排水量と排水能力として排水能力記憶手段に記憶されている２１Ｌとを比較して、総排水量が排水能力より小さいため、この便器洗浄装置５の洗浄指示は許可される。  このように、洗浄モード種別を考慮して総洗浄水量を算出するため、総洗浄水量の算出が正確となり、同時に洗浄可能な台数を増やすことができ、洗浄待ちとなる頻度を下げることが可能となる。
【００２６】
次に、図４に示す第一の実施形態の便器洗浄動作の動作フローに基づいて、さらに詳細に説明する。
まず、複数の便器の全ての洗浄要求がなかった場合には、洗浄実行状態記憶手段１１３の記憶領域は初期状態に更新する（Ｓ４０１）。そして、排水能力記憶手段１１４からそのトイレルームにおける排水能力（排水可能容量）が呼びされる（Ｓ４０３）。そして、洗浄要求の指示があったかどうかを判断する（Ｓ４０５）。洗浄要求の指示信号を受信すると（Ｓ４０５Ｙ）、その受信信号に含まれている識別信号によって、同じトイレブースに設置されている自己のリモコン１２からの指示信号かどうかを判断する（Ｓ４０７）。そして、自己のリモコンからの洗浄指示でないと判断すると（Ｓ４０７Ｎ）、その洗浄指示に基づく洗浄水量を洗浄実行状態記憶手段１１３に記憶する（Ｓ４０９）。
【００２７】
一方、Ｓ４０７において、自己のリモコンからの洗浄指示であると判断すると（Ｓ４０７Ｙ）、洗浄実行状態記憶手段１１３に記憶されている洗浄水量と自己の洗浄指示に基づく洗浄水量とを合計した総洗浄水量を算出する（Ｓ４１１）。そして、この総洗浄水量が排水能力より小さいと判断されると（Ｓ４１３Ｙ）、洗浄指示に基づく洗浄が許可されて、電磁弁１１６が開弁して洗浄が実行される（Ｓ４１５）。しかし、総洗浄水量が排水能力以上であると判断されると（Ｓ４１３Ｎ）、その洗浄指示の基づく洗浄は禁止される（Ｓ４１７）。
【００２８】
本発明の第二の実施形態について説明する。図５は、本発明の第二の実施形態の便器洗浄動作のイメージ図である。
第一状態においては、略同時と見做せる所定期間内において、便器洗浄装置１〜５の５台から順番に洗浄指示が出された場合である。この場合、総洗浄水量が排水能力を超えないように、洗浄指示が出たタイミングが早い便器洗浄装置１〜３については洗浄指示に基づく洗浄が許可されて洗浄が実行される。便器洗浄装置４，５の２台については、洗浄は保留されている。なお、意志洗浄とは、使用者がリモコン１２の便器洗浄指示ボタン１２１を操作した洗浄指示であって、使用者が意志をもって洗浄指示を出した場合であり、自動洗浄とは、洗浄装置本体１１の洗浄要求指示手段１１１としての人体検出手段からの検出信号に基づく洗浄であって、具体的には、使用者が用便後に大便器から離れたことを検知して、洗浄装置本体１１自体が判断して自動的に行う洗浄指示である。
【００２９】
第一状態から所定時間が経過して、便器洗浄装置１の洗浄が終了したのが第二状態である。この第二状態では、総洗浄水量を再度算出すると、第一状態で保留されていた便器洗浄装置４，５の何れにしても総洗浄水量が排水能力を超えていない場合である。そして、第一状態で保留されていた便器洗浄装置４，５の内、洗浄指示が出た順番としては先であった便器洗浄装置4よりも先に便器洗浄装置５の洗浄指示が許可されて洗浄が開始される。その理由は、便器洗浄装置４が自動洗浄であるのに対して便器洗浄装置５が意志洗浄であるからである。そして、第二状態から所定時間経過して、便器洗浄装置２の洗浄が終了したのが第三状態である。この第三状態では、総洗浄水量を再度算出して、第二状態で保留されていた便器洗浄装置４の洗浄が開始される。
【００３０】
このように、排水能力を超えていると判断した場合は洗浄開始を保留しておき、他の便器洗浄装置の便器洗浄が終了すると総洗浄水量を再度算出し、この総洗浄水量が前記排水能力記憶手段に記憶されている排水能力を超えていない場合は洗浄動作を実行することで、流し忘れを防止できる。また、保留している洗浄実行状態が複数ある場合、洗浄指示種別が意志洗浄である処理を自動洗浄に優先して洗浄開始させることで、使用者が洗浄できないと不安に感じるリスクをさげることができ、使い勝手が向上する。
【００３１】
次に、図６に示す第二実施形態の便器洗浄動作の動作フローに基づいて、さらに詳細に説明する。
まず、複数の便器の全ての洗浄要求がなかった場合には、洗浄実行状態記憶手段１１３の記憶領域は初期状態に更新する（Ｓ６０１）。そして、排水能力記憶手段１１４からそのトイレルームにおける排水能力（排水可能容量）が呼びされる（Ｓ６０３）。そして、保留中の洗浄指示があるかどうかを判断する（Ｓ６０５）。保留中の洗浄指示がないと（Ｓ６０５Ｎ）処理を終了する。保留中の洗浄指示があると（Ｓ６０５Ｙ）、その保留している洗浄指示の種別を確認して（Ｓ６０７）、意志洗浄なのか、自動洗浄なのかを判断する（Ｓ６０９）。
【００３２】
保留されている洗浄指示の種別が自動洗浄である場合（Ｓ６０９Ｎ）、他に意志洗浄の指示があるかどうかを判断する（Ｓ６１１）。他に意志洗浄の指示があると（Ｓ６１１Ｎ）、自動洗浄の洗浄指示よりも意志洗浄の洗浄指示の処理優先順位を上げて（Ｓ６１５）、その自動洗浄の洗浄指示は保留しておく（Ｓ６１７）。
Ｓ６１１で他の意志洗浄の指示が無いと（Ｓ６１１Ｙ）、その自動洗浄の洗浄指示が最優先の処理順位となっているかどうかを判断し（Ｓ６１９）、最優先でなければ（Ｓ６１９Ｎ）、その自動洗浄の洗浄指示は保留しておく（Ｓ６２１）。Ｓ６１９で最優先であると判断されると（Ｓ６１９Ｙ）、その自動洗浄を行った場合の総排水流量（洗浄容量）と排水能力である排水可能容量とを比較して（Ｓ６２３）、総排水流量が排水能力より小さいと（Ｓ６２３Ｙ）、その自動洗浄の洗浄指示を許可して便器洗浄を実行する（Ｓ６２５）。
【００３３】
Ｓ６０９で保留されている洗浄指示の種別が意志洗浄である場合（Ｓ６０９Ｙ）、その意志洗浄の洗浄指示が最優先の処理順位となっているかどうかを判断し（Ｓ６２７）、最優先でなければ（Ｓ６２７Ｎ）、その意志洗浄の洗浄指示は保留しておく（Ｓ６２９）。Ｓ６２７で最優先であると判断されると（Ｓ６２７Ｙ）、その意志洗浄を行った場合の総排水流量（洗浄容量）と排水能力である排水可能容量とを比較して（Ｓ６３１）、総排水流量が排水能力より小さいと（Ｓ６３１Ｙ）、その自動洗浄の洗浄指示を許可して便器洗浄を実行する（Ｓ６３３）。
【符号の説明】
【００３４】
１０…便器洗浄装置
１１…便器洗浄装置
【００３５】
１２…リモコン
２０…便器
３０…仕切壁
４０…給水配管
１１１…洗浄要求の指示手段
１１２…無線通信手段
１１３…洗浄実行状態記憶手段
１１４…排水能力記憶手段
１１５…洗浄開始判定手段
１１６…電磁弁
１２１…洗浄要求の指示手段
１２２…無線通信手段
【図１】
2014029090.tif 000003
【図２】
2014029090.tif 000004
【図３】
2014029090.tif 000005
【図４】
2014029090.tif 000006
【図５】
2014029090.tif 000007
【図６】
2014029090.tif 000008